(57)【要約】【課題】効率良くプリント注文及びプリント生産を行う。【解決手段】画像編集ＳＴ４０では、インデックスシートのプリント時に、ＤＢ２０ａから撮影画像のデータが取得されるとともに、その撮影画像のインデックスコマ番号及び記録区分コードの情報がコマ番号管理テーブル２１から取得される。そして、取得された撮影画像のサムネイルが作成され、当該サムネイルがインデックスコマ番号順に記録区分単位で配列され、かつ記録区分が切り替わる毎に配列が改行されるようにインデックスシートのプリント用データが作成される。また、インデックスシートには、見本シートを作成するための編集指示情報の入力領域が設けられる。【選択図】図１
2005227576.tif 000002
【特許請求の範囲】
【請求項１】
撮影画像が一覧表示されたインデックスシートをプリント出力するプリント手段を備えたプリント生産システムにおいて、
プリント対象の撮影画像のデータを取得する取得手段と、
前記取得された撮影画像を連続で配列し、かつ当該配列された各撮影画像が記録されていたその記録区分を識別可能なインデックスシートを前記プリント手段にプリント出力させるプリント制御手段と、
を備えることを特徴とするプリント生産システム。
【請求項２】
前記プリント制御手段は、撮影画像の記録区分を示す識別情報を付したインデックスシートをプリント出力させることを特徴とする請求項１に記載のプリント生産システム。
【請求項３】
撮影画像が一覧表示されたインデックスシートをプリント出力するプリント手段を備えたプリント生産システムにおいて、
プリント対象の撮影画像を記憶する画像記憶手段と、
前記記憶された撮影画像に第１の識別番号を連番で付与し、当該第１の識別番号順に各撮影画像を配列するとともに、その撮影画像の編集指示情報を記入するための入力領域を設けた第１のインデックスシートを前記プリント手段によりプリント出力させるプリント制御手段と、
前記付与された第１の識別番号の情報をその番号が付与された撮影画像に対応付けて記憶する番号記憶手段と、
を備えることを特徴とするプリント生産システム。
【請求項４】
前記インデックスシートに基づいて、当該インデックスシートに記入された編集指示情報を入力する情報入力手段を備え、
前記プリント制御手段は、前記入力された編集指示情報に従い、前記記憶された第１の識別番号を用いて各撮影画像の編集を行い、編集後の各撮影画像に第２の識別番号を付与して第２の識別番号順に各撮影画像を配列した第２のインデックスシートを前記プリント手段にプリント出力させ、
前記番号記憶手段は、前記付与された第２の識別番号の情報をその番号が付与された撮影画像に対応付けて記憶することを特徴とする請求項３に記載のプリント生産システム。
【請求項５】
前記編集指示情報には、撮影画像の追加、削除、順番入替の指示情報が含まれ、
前記プリント制御手段は、前記入力された撮影画像の追加、削除、順番入替の指示情報に従って、撮影画像の追加、削除、順番入替の編集を行い、編集後の各撮影画像に第２の識別番号を付与することを特徴とする請求項４に記載のプリント生産システム。
【請求項６】
前記編集指示情報には、撮影画像を分類するカテゴリの指示情報が含まれ、
前記プリント制御手段は、前記カテゴリの指示情報に従って各撮影画像を分類し、当該分類された各撮影画像にその分類されたカテゴリを識別可能な第２の識別番号を付与することを特徴とする請求項４又は５に記載のプリント生産システム。
【請求項７】
前記プリント制御手段は、カテゴリ毎に第２のインデックスシートをプリント出力させることを特徴とする請求項６に記載のプリント生産システム。
【請求項８】
前記編集指示情報には、各撮影画像のプリントサイズの指示情報が含まれ、
前記プリント制御手段は、前記プリントサイズの指示情報に従って、指示されたプリントサイズ毎にその撮影画像を識別するための第２の識別番号を付与し、各撮影画像にそのプリントサイズ毎に付与された第２の識別番号を付した第２のインデックスシートをプリント出力させることを特徴とする請求項４〜７の何れか一項に記載のプリント生産システム。
【請求項９】
前記プリント制御手段は、第２のインデックスシート上に表示する文字の指示情報の入力領域を設けた第１のインデックスシートをプリント出力させ、前記情報入力手段によりその第２のインデックスシート上に表示する文字の指示情報が入力されると、その指示された文字を表示させた第２のインデックスシートをプリント出力させることを特徴とする請求項４〜８の何れか一項に記載のプリント生産システム。
【発明の詳細な説明】
【技術分野】
【０００１】
本発明は、撮影画像のプリント写真を販売する際にその撮影画像の一覧を表示したインデックスシートをプリントするプリント生産システムに関する。
【背景技術】
【０００２】
学校等では年間を通して行われる各種行事（例えば、入学式や遠足、運動会、卒業式等）において撮影されたスクールフォトと呼ばれるプリント写真の販売が行われることが多い。このようなプリント写真のプリント注文は、学校側で一括してプリントラボに申し込むことが一般的である。
【０００３】
以下、撮影からプリント注文までにおける全体的な流れを説明する。
まず、撮影業者によりスクールフォトが撮影されると、その撮影画像が記録されたフィルム或いはそのデータが記録されたメモリカード等の記録メディアがプリントラボに納入される。プリントラボでは、記録メディアから撮影画像の読み出しが行われてＤＢに保存されるとともに、当該撮影画像のサムネイルが一覧表示されたインデックスシートがプリントされる。このインデックスシートは、撮影業者により画像選定に使用される。
【０００４】
画像選定では、目つぶりや焦点が合っていない画像等、不適切なシーンのコマ画像を削除したり、新規にコマ画像を追加したりといった編集作業が行われる。また、インデックスシートでは読み取られた記録メディア毎に読み取られた順番で撮影画像が表示されるが、複数カメラマンにより撮影が行われた場合は、同じイベントが撮影された撮影画像が複数の記録メディアに分散して記録されるため、同じイベントの撮影画像が複数のインデックスシートに分散して表示されることとなる。このような場合には、見本パネルに見本写真を掲示する際には同一パネル上に同一イベントに係る見本写真が掲示されている方が注文者にとって見やすいため、コマ画像の順番入れ替え等の編集作業も行われる。撮影業者は、これらコマ画像の編集を指示する指示書を自ら作成し、プリントラボに提出する。
【０００５】
プリントラボでは撮影業者から提出された指示書に従って撮影画像の削除、追加、順番入れ替え等のデータ編集が行われ、データ編集された撮影画像が一覧表示された見本シートのプリントが行われる。この見本シートはパネル上に添付され、学校に掲示される。注文者は、見本パネルにより所望のコマ画像を選択し、そのコマ番号を注文用紙に記入してプリント注文を行う。
【０００６】
従来から、プリントラボではこのような大量のプリント注文を受け付けてプリント生産を自動制御で行うシステムが利用されている（例えば、特許文献１、２参照）。このようなプリント生産システムでは、撮影画像のデータが入力されると、その入力順に各画像に対して連番でコマ番号が付与され、管理されるが、スクールフォトのような団体写真の場合は例えばフィルム１０本分、メモリカード２枚といったようにいくつかの記録メディアに亘って記録された撮影画像が持ち込まれることが多いため、撮影画像がどの記録区分で記録されていたものであるのかが把握できるように、図１２に示すように、例えばフィルム１本毎、記録メディア１枚毎、或いは撮影画像が保存されていたフォルダ毎等のようにある記録区分毎にインデックスシートがプリントされることとなっていた。
【特許文献１】特開２００１−５１０４号公報
【特許文献２】特開２０００−３４９９３９号公報
【発明の開示】
【発明が解決しようとする課題】
【０００７】
しかしながら、撮影画像の記録区分毎にインデックスシートを作成するのでは、コスト高となってしまう。また、撮影業者は、インデックスシートを用いた画像選定により見本シートを作成する際の各撮影画像の編集を指示する指示書を別途作成してプリントラボに納入しなければならず、編集作業は煩雑な作業となっていた。
【０００８】
また、撮影画像は付与されたコマ番号により管理されるが、このコマ番号を用いてインデックスシート及び見本シートにおいて撮影画像を表示し、コマ番号によりプリント注文を受け付けることとすると、インデックスシートでは全ての撮影画像が表示されるため、連番で各撮影画像が一覧表示されることとなるが、撮影画像の削除、追加、入れ替え等の編集が行われて作成された見本シートでは、その編集により各撮影画像のコマ番号が連番ではなくなってしまうため、注文者にとってはプリント注文の際に撮影画像を指定しづらく、不便である。
【０００９】
本発明の課題は、効率良くプリント注文及びプリント生産を行うことができるインデックスシートをプリントすることである。
【課題を解決するための手段】
【００１０】
請求項１に記載の発明は、プリント生産システムにおいて、
撮影画像が一覧表示されたインデックスシートをプリント出力するプリント手段を備えたプリント生産システムにおいて、
プリント対象の撮影画像のデータを取得する取得手段と、
前記取得された撮影画像を連続で配列し、かつ当該配列された各撮影画像が記録されていたその記録区分を識別可能なインデックスシートを前記プリント手段にプリント出力させるプリント制御手段と、
を備えることを特徴とする。
【００１１】
請求項２に記載の発明は、請求項１に記載のプリント生産システムにおいて、
前記プリント制御手段は、撮影画像の記録区分を示す識別情報を付したインデックスシートをプリント出力させることを特徴とする。
【００１２】
請求項３に記載の発明は、プリント生産システムにおいて、
撮影画像が一覧表示されたインデックスシートをプリント出力するプリント手段を備えたプリント生産システムにおいて、
プリント対象の撮影画像を記憶する画像記憶手段と、
前記記憶された撮影画像に第１の識別番号を連番で付与し、当該第１の識別番号順に各撮影画像を配列するとともに、その撮影画像の編集指示情報を記入するための入力領域を設けた第１のインデックスシートを前記プリント手段によりプリント出力させるプリント制御手段と、
前記付与された第１の識別番号の情報をその番号が付与された撮影画像に対応付けて記憶する番号記憶手段と、
を備えることを特徴とする。
【００１３】
請求項４に記載の発明は、請求項３に記載のプリント生産システムにおいて、
前記インデックスシートに基づいて、当該インデックスシートに記入された編集指示情報を入力する情報入力手段を備え、
前記プリント制御手段は、前記入力された編集指示情報に従い、前記記憶された第１の識別番号を用いて各撮影画像の編集を行い、編集後の各撮影画像に第２の識別番号を付与して第２の識別番号順に各撮影画像を配列した第２のインデックスシートを前記プリント手段にプリント出力させ、
前記番号記憶手段は、前記付与された第２の識別番号の情報をその番号が付与された撮影画像に対応付けて記憶することを特徴とする。
【００１４】
請求項５に記載の発明は、請求項４に記載のプリント生産システムにおいて、
前記編集指示情報には、撮影画像の追加、削除、順番入替の指示情報が含まれ、
前記プリント制御手段は、前記入力された撮影画像の追加、削除、順番入替の指示情報に従って、撮影画像の追加、削除、順番入替の編集を行い、編集後の各撮影画像に第２の識別番号を付与することを特徴とする。
【００１５】
請求項６に記載の発明は、請求項４又は５に記載のプリント生産システムにおいて、
前記編集指示情報には、撮影画像を分類するカテゴリの指示情報が含まれ、
前記プリント制御手段は、前記カテゴリの指示情報に従って各撮影画像を分類し、当該分類された各撮影画像にその分類されたカテゴリを識別可能な第２の識別番号を付与することを特徴とする。
【００１６】
請求項７に記載の発明は、請求項６に記載のプリント生産システムにおいて、
前記プリント制御手段は、カテゴリ毎に第２のインデックスシートをプリント出力させることを特徴とする。
【００１７】
請求項８に記載の発明は、請求項４〜７の何れか一項に記載のプリント生産システムにおいて、
前記編集指示情報には、各撮影画像のプリントサイズの指示情報が含まれ、
前記プリント制御手段は、前記プリントサイズの指示情報に従って、指示されたプリントサイズ毎にその撮影画像を識別するための第２の識別番号を付与し、各撮影画像にそのプリントサイズ毎に付与された第２の識別番号を付した第２のインデックスシートをプリント出力させることを特徴とする。
【００１８】
請求項９に記載の発明は、請求項４〜８の何れか一項に記載のプリント生産システムにおいて、
前記プリント制御手段は、第２のインデックスシート上に表示する文字の指示情報の入力領域を設けた第１のインデックスシートをプリント出力させ、前記情報入力手段によりその第２のインデックスシート上に表示する文字の指示情報が入力されると、その指示された文字を表示させた第２のインデックスシートをプリント出力させることを特徴とする。
【発明の効果】
【００１９】
請求項１に記載の発明によれば、連続で取得された撮影画像を配列し、かつ配列された各撮影画像の記録区分が識別可能なインデックスシートをプリント出力させるので、インデックスシートのプリント枚数を必要最小限に抑えることができ、コストの削減を図ることができる。また、連続で撮影画像が配置されても記録区分が判別可能であるので、容易に各撮影画像が記録されていた記録区分を把握することができ、プリント注文及びプリント生産の効率化を図ることができる。
【００２０】
請求項２に記載の発明によれば、撮影画像の記録区分を示す識別情報が付されるので、視覚的に各撮影画像の記録区分を確認することができる。
【００２１】
請求項３に記載の発明によれば、第１の識別番号が付された撮影画像とともにその撮影画像の編集指示情報の入力領域が設けられたインデックスシートがプリント出力されるので、インデックスシートにより容易に編集指示を行うことができ、編集指示の作業の効率化を図ることができる。従って、効率良くプリント注文及びプリント生産を行うことができる。
【００２２】
請求項４に記載の発明によれば、第１のインデックスシートに基づいて入力された編集指示情報に従い、第１の識別番号を用いて各撮影画像を編集し、第２の識別番号を付与するので、撮影画像の編集処理を自動化することができる。また、その第２の識別番号順で撮影画像を表示した第２のインデックスシートをプリントさせるので、編集により順番が交錯した場合でも第２のインデックスシートでは連番で各撮影画像を表示することができ、見やすいインデックスシートを提供することができる。従って、プリント注文及びプリント生産を効率良く行うことができる。
【００２３】
請求項５に記載の発明によれば、第１のインデックスシートに撮影画像の追加、削除、順番入替の指示情報の入力領域を設けるので、この第１のインデックスシートにより撮影画像の追加、削除、順番入替を容易に指示することができる。また、第１のインデックスシートに基づいて入力された撮影画像の追加、削除、順番入替の指示情報に従って撮影画像の編集を行うので、撮影画像の追加、削除、順番入替の編集処理を自動化することができる。さらに、編集により順番が交錯した場合でも第２のインデックスシートでは連番で各撮影画像を表示することができ、見やすいインデックスシートを提供することができる。
【００２４】
請求項６に記載の発明によれば、第１のインデックスシートにカテゴリの指示情報の入力領域を設けるので、この第１のインデックスシートにより撮影画像を分類するカテゴリを容易に指示することができる。また、第１のインデックスシートに基づいて入力されたカテゴリの指示情報に従い、各撮影画像をカテゴリ毎に分類して撮影日毎、イベント毎、被写体の属性毎等に撮影画像を分類することができる。さらに、そのカテゴリを識別可能な第２の識別番号を付与するので、第２の識別番号により各撮影画像がどのカテゴリに属するのかを容易に識別することができる。
【００２５】
請求項７に記載の発明によれば、カテゴリ毎に第２のインデックスシートをプリント出力するので、例えば撮影日毎、イベント毎、或いは被写体の属性毎に撮影画像が分類されて表示された第２のインデックスシートをプリント出力することができ、撮影画像を閲覧しやすいインデックスシートを提供することができる。
【００２６】
請求項８に記載の発明によれば、第１のインデックスシートにプリントサイズの指示情報の入力領域を設けるので、この第１のインデックスシートによりプリントサイズを容易に指示することができる。また、プリントサイズ毎に各プリントサイズを識別可能な第２の識別番号を付与するので、第２の識別番号により撮影画像及びそのプリントサイズを指定することができる。
【００２７】
請求項９に記載の発明によれば、第１のインデックスシートに第２のインデックスシート上に表示する文字の入力領域を設けるので、第１のインデックスシートにより第２のインデックスシートの文字入れを容易に指示することができる。また、文字の指示情報に従い、指示された文字を表示した第２のインデックスシートをプリント出力するので、タイトルや行事名等の文字を第２のインデックスシートにプリントすることができる。
【発明を実施するための最良の形態】
【００２８】
本実施の形態では、第１のインデックスシートとして、撮影業者が画像選定に使用するインデックスシートをプリント出力し、第２のインデックスシートとして、注文者がプリント注文する際に使用する見本シートをプリント出力する例を説明する。
【００２９】
まず、構成を説明する。
図１に、本実施の形態におけるプリント生産システム１００のシステム構成を示す。
図１に示すように、プリント生産システム１００は、オーダエントリステイション（以下、ＳＴ；Stationという）１０、ラボサーバ２０、画像入力ＳＴ３０、画像編集ＳＴ４０、プリントコントローラ５０ａ、画像合成コントローラ５０ｂ、プリントＳＴ６０から構成され、各ＳＴ１０、３０、４０、６０、ラボサーバ２０、プリントコントローラ５０ａ、画像合成コントローラ５０ｂは相互に情報の送受信が可能に接続されている。
【００３０】
オーダエントリＳＴ１０は、受付端末１０ａを一又は複数備えて構成され、この受付端末１０ａを介して、撮影業者のためのインデックスシート及び注文者のためのインデックスシートである見本シートのプリント注文、注文者によるプリント写真のプリント注文を受け付ける。
【００３１】
受付端末１０ａとしては、スキャナを備え、ＯＣＲ（Optical Character Reader）又はＯＭＲ（Optical Mark Reader）機能を有した汎用のパーソナルコンピュータ等が適用可能である。受付端末１０ａは、見本シートのプリント注文時には、撮影業者により撮影画像の追加、削除、入れ替え等の見本シート作成に関する編集指示が記入されたインデックスシート及びインデックスシートに添付された指示書シートをスキャナにより読み取り、ＯＣＲ又はＯＭＲ機能によりデータ解析してその編集指示情報を取得する。そして、取得された編集指示情報を画像編集ＳＴ４０に送信する。すなわち、受付端末１０ａにより情報入力手段を実現することができる。
【００３２】
また、プリント写真のプリント注文時には、注文票に注文者に関する情報（例えば注文者の氏名、生徒番号等の識別情報等。以下、注文者情報という。）、注文内容に関する情報（例えば注文された撮影画像のコマ番号、プリントサイズ、プリント枚数、撮影画像とともにプリントする文字等。以下、注文情報という。）が記入された注文票をスキャナにより読み取り、読み取られた注文票をデータ解析して、注文票に記入された注文者情報、注文情報を取得する。取得された注文者情報及び注文情報はラボサーバ２０に転送され、データベース（以下、ＤＢ；DataBaseと略す。）化される。
【００３３】
ラボサーバ２０は、プリント生産システム１００における各ＳＴ１０、３０、４０の端末装置、プリントコントローラ５０ａ、画像合成コントローラ５０ｂ等を統括的に制御するものである。また、ラボサーバ２０ａは、画像記憶手段として大容量メモリから構成されるＤＢ２０ａを備え、このＤＢ２０ａに画像入力ＳＴ２０により取得された撮影画像のデータ群、オーダエントリＳＴ１０により取得された注文者情報及び注文情報等をＤＢ化して記憶する。
【００３４】
また、ＤＢ２０ａは、各撮影画像に対して、インデックスシート用に付与されたインデックスコマ番号と、見本シート用に新たに付与された見本コマ番号との対応関係を示すコマ番号管理テーブル２１を記憶する番号記憶手段である。
コマ番号管理テーブル２１には、図２に示すように、ＤＢ２０ａに記憶された各撮影画像の画像ファイル名、その撮影画像の記録区分（例えば、撮影画像が記録されていたフィルム、メモリ等の記録メディア、保存フォルダ等をいう。）を示す記録区分コード、その撮影画像に付与されたインデックスコマ番号、見本コマ番号の各情報が対応付けて記憶される。
【００３５】
図２の例では、画像ファイル名「1-2a.img」の撮影画像は、記録区分コード「Ｆ１」で示される１本目のフィルムから読み取られたものであり、この撮影画像はインデックスシートではインデックスコマ番号「１」、見本シートでは見本コマ番号「１００１（Ｌ版のプリントサイズの場合）」で表示されることとなる。なお、見本コマ番号では、同一の撮影画像に対して複数のプリントサイズが割り当てられた場合、各プリントサイズに応じた見本コマ番号が付与される。例えば前述の例ではＬ版、２Ｌ版のプリントサイズが割り当てられており、Ｌ版の見本コマ番号は「１００１」、２Ｌ版の見本コマ番号は「１Ａ０１」である。また、見本シートにおいて削除するように指示された撮影画像には、見本コマ番号の項目には削除されたことを示す情報が記憶される。
【００３６】
また、ＤＢ２０ａは、見本シートの編成情報である見本シートテーブル２２を記憶する。
この見本シートテーブル２２には、図３に示すように、見本シートのカテゴリ（１オーダ分の撮影画像群をいくつかのまとまりで分類したときの分類項目をいう）毎に、そのカテゴリの先頭に配置される撮影画像の見本コマ番号、そのカテゴリに分類された撮影画像群の記録区分コード、その記録区分コードで示される撮影画像群の見本シート上における順番を示す見本順、その記録区分に属する撮影画像群の範囲を示すインデックスコマ番号、そのインデックスコマ番号で示される撮影画像群のうち削除が指示された撮影画像のコマ番号、そのカテゴリの見本シートの指定プリントタイプ（以下、見本タイプという）、見本シートにおける各撮影画像のプリントサイズ、そのカテゴリのタイトル等の情報が格納される。
【００３７】
図３の例では、カテゴリ「１」は、タイトル「１年生」の見本シートであり、その見本シートは、見本タイプ「Ａ３−１６」で、かつ見本シート上の各撮影画像はプリントサイズ「Ｌ版」でプリントされることとなる。また、カテゴリ「１」の見本シートでは、記録区分「Ｆ１」に属するインデックスコマ番号「１」〜「１３」の撮影画像、記録区分「Ｆ２」に属するインデックスコマ番号「１４」〜「３５」の撮影画像、記録区分「Ｆ３」に属するインデックスコマ番号「３６」〜「７０」の撮影画像、記録区分「Ｆ４」に属するインデックスコマ番号「７１」〜「７８」の撮影画像のうち、インデックスコマ番号「３」、「１５」、「２２」、「４０」の撮影画像を除いた各撮影画像が、記録区分「Ｆ１」→「Ｆ３」→「Ｆ２」→「Ｆ４」の順番で見本シート上にプリントされることとなる。
【００３８】
画像入力ＳＴ３０は、撮影画像を入力するための画像入力端末３０ａを一又は複数備える。画像入力端末３０ａは、画像がプリントされたプリント写真、ポストカード等から画像を取り込むフラッドベットスキャナ、ネガフィルムから画像を取り込むフィルムスキャナ等の各種スキャナや、カード型、スティック型等の半導体メモリ、フロッピー（登録商標）ディスク、ＣＤ（Compact Disk）、ＤＶＤ（Digital Versatile Disk）等の磁気的又は光学的記録メディア等からデータを読み出すリーダ等の画像読取手段を備えて構成され、これら画像読取手段によりプリント対象の撮影画像のデータを取得する。そして、取得された撮影画像のデータをラボサーバ２０を介してＤＢ２０ａに記憶させる。すなわち、画像入力端末３０ａにより画像取得手段を実現することができる。
【００３９】
画像入力端末３０ａは、撮影画像のデータを読み取る際に、各撮影画像にその読取順にインデックスコマ番号を連番で付与し、撮影画像のデータをＤＢ２０ａに記憶させる際に、そのインデックスコマ番号の情報を撮影画像に対応付けてコマ番号管理テーブル２１に書き込む。また、撮影画像のデータが読み出されたフィルム、記録メディア或いは画像保存フォルダ等の記録区分を示す記録区分コードを発行し、コマ番号管理テーブル２１において各撮影画像に対してその撮影画像の記録区分に応じた記録区分コードを書き込む。
【００４０】
画像編集ＳＴ４０は、撮影画像のデータ編集を行うための画像編集端末４０ａを一又は複数備える。画像編集端末４０ａとしては、オペレータ用のモニタ及びオペレータが編集指示するためのキーボード等を備えた汎用のパーソナルコンピュータ等が適用可能である。画像編集端末４０ａは、データ編集時にラボサーバ２０を介してＤＢ２０ａからプリント対象の撮影画像のデータを取得し、当該取得された撮影画像のデータをモニタ上に表示する。そして、オペレータにより画像判定が行われ、操作指示が入力されると、当該入力指示に従って、画像の拡大／縮小、画像位置の移動、特定領域のトリミング、タイトル等の文字入力等の画像加工処理を施すとともに、階調変換や色変換、鮮鋭化処理等の各種画像処理を施す。画像加工、画像処理が施された撮影画像はラボサーバ２０に転送され、ＤＢ登録される。
【００４１】
また、画像編集端末４０ａは、インデックスシート及び見本シートのプリント指示情報を生成する。生成されたプリント指示情報は、画像合成コントローラ５０ｂに送信される。インデックスシートとは、撮影業者が画像選定等に使用するための第１のインデックスシートであり、撮影業者から納入された全ての撮影画像がサムネイル等の縮小画像で一覧表示される。インデックスシート上に表示される各撮影画像には各画像を個別に識別するための第１の識別番号であるインデックスコマ番号が付与される。一方、見本シートとは、プリント注文者が注文したい画像を選択するための第２のインデックスシートであり、販売対象として選択された撮影画像のみが一覧表示される。見本シート上に表示される各撮影画像には第２の識別番号である見本コマ番号が付与される。
【００４２】
インデックスシートのプリント時には、ＤＢ２０ａから撮影画像のデータを取得するとともに、その撮影画像のインデックスコマ番号及び記録区分コードの情報をコマ番号管理テーブル２１から取得する。そして、取得された撮影画像のサムネイルを作成し、当該サムネイルにその撮影画像のインデックスコマ番号を付してインデックスコマ番号の順番で配置するように、かつ各撮影画像の記録区分が識別可能となるようにインデックスシートをプリントするよう指示するプリント指示情報を生成する。具体的には、インデックスシート上に表示するサムネイル、インデックスコマ番号、編集指示情報の入力領域の配置位置、サイズ等の指示情報を生成する。また、各撮影画像の記録区分を示す識別情報を付す位置、或いは記録区分が識別可能なサムネイルの配置位置等のフォーマットの指示情報を生成する。
【００４３】
また、見本シートのプリント時には、見本シートのカテゴリ、カテゴリに対するイベント名、そのカテゴリの見本シートの見本タイプ、撮影画像のプリントサイズ等のカテゴリの設定情報や、各カテゴリに分類された撮影画像のインデックスコマ番号、撮影画像の追加、削除、入れ替え等の見本シート作成に関する編集指示情報がオーダエントリＳＴ１０から入力されると、当該設定情報、編集指示情報を見本シートテーブル２２に書き込むとともに、編集指示情報に従って見本シートのプリント指示情報を作成する。
【００４４】
まず、入力された編集指示情報のうちカテゴリの指示情報に従い、各撮影画像をカテゴリ毎に分類する。次いで、追加、削除等の指示情報に従って各撮影画像のインデックスコマ番号を用いて撮影画像の追加、削除、順番入れ替え等のデータ編集を行って、当該データ編集された各撮影画像に新たに見本コマ番号を付与する。そして、この見本コマ番号の情報をその撮影画像に対応付けてコマ番号管理テーブル２１に書き込む。次いで、各カテゴリで指示された見本シートの見本タイプに応じたフォーマットに、そのカテゴリのイベント名、そのカテゴリに分類された撮影画像及びその撮影画像に付与された見本コマ番号を、その見本コマ番号順に合成するよう指示するプリント指示情報を生成する。具体的には、撮影画像、見本コマ番号、イベント名、タイトル等の文字入力領域等の配置位置、サイズ等のフォーマットの指示情報を生成する。すなわち、画像編集端末４０ａによりプリント制御手段を実現させることができる。
【００４５】
プリントコントローラ５０ａは、プリントＳＴ６０における各プリンタ６０ａ〜６０ｃのプリント動作を制御するものであり、プリント内容に応じて、プリントＳＴ６０の各プリンタ６０ａ〜６０ｃのうち、プリントジョブを振り分けるプリンタを決定し、そのプリンタの決定情報を画像合成コントローラ５０ｂに送信する。
【００４６】
画像合成コントローラ５０ｂは、プリント指示情報が入力されると、プリント指示された撮影画像のデータをＤＢ２０ａから取得し、当該プリント指示情報に従って取得された画像データを指定されたフォーマットに合成し、プリント用データを生成する。そして、生成されたプリント用データをプリントＳＴ６０に設置されるプリンタ６０ａ〜６０ｃのうち、プリントコントローラ５０ａから指示された振り分け先のプリンタに送信する。
【００４７】
プリントＳＴ６０は、各種プリンタ６０ａ〜６０ｃを一又は複数備える。各種プリンタ６０ａ〜６０ｃは、例えばインデックスシートのプリントを行うプリンタ、見本シートのプリントを行うプリンタ、注文用のプリントを行うプリンタ等、プリント可能なプリントサイズやプリント機能が異なるプリント手段である。
【００４８】
各プリンタ６０ａ〜６０ｃは、感光材料からなるロールペーパー（以下、プリントペーパーという。）を収容する給紙部、画像データに基づいてプリントペーパー上に露光を行う露光部、露光により画像潜像が形成されたプリントペーパーを発色現像、乾燥する現像処理部、現像されたプリントペーパーを所定サイズにカットするカッター部等を備えて構成され、インデックスシート、見本シート、或いは撮影画像のプリント出力を行う。なお、各プリンタ６０ａ〜６０ｃは、プリント生産物の裏面（画像、テキスト等がプリントされた面を表面とする。）に撮影日時、撮影画像のインデックスコマ番号又は見本コマ番号等の各種情報をプリントするバックプリント機能を有することとする。
【００４９】
次に、本実施の形態における動作を説明する。
まず、図４を参照して本実施形態におけるプリント注文方法について説明する。図４は、撮影からプリント写真が納品されるまでの全体的な流れを示す図である。
図４に示すように、まず学校から年間行事計画の情報が撮影業者に通知され、撮影が依頼される（ステップＳ１）。このとき、学校に所属する各生徒の氏名、生徒番号等が記載された名簿のデータが撮影業者に渡される。撮影業者では、取得された行事計画に基づいて撮影が行われ（ステップＳ２）、撮影により得られた撮影画像のフィルム又はそのデータが記録された記録メディア等がプリントラボに納入される。なお、撮影画像の納入は、データ通信により学校の端末装置からプリントラボのオーダエントリＳＴ１０に撮影画像のデータを送信することにより行われることとしてもよい。
【００５０】
プリントラボでは、撮影業者からフィルム又は記録メディア等を受け取ると、そのフィルム又は記録メディア等から撮影画像のデータが取得される（ステップＳ３）。次いで、取得された撮影画像のデータを用いてインデックスシートのプリントが行われ（ステップＳ４）、プリントされたインデックスシートが撮影業者に納品される。このとき、見本シートの作成に関する指示を記入するための指示書シートがインデックスシートに添付されて納入される。撮影業者では、納品されたインデックスシートを用いて画像選定が行われ、焦点が外れている画像や、画質が悪い画像、目つぶりや赤目等の不適切なシーンの画像の削除指示、新たな撮影画像の追加指示、見本シートにおける撮影画像の表示順の指示等がインデックスシート上の所定領域に記入される。また、指示書シートにカテゴリの設定情報等、見本シートの作成に必要な指示が記入されると、当該インデックスシート及び指示書シートがプリントラボに提出される（ステップＳ５）。
【００５１】
プリントラボでは、インデックスシート及び指示書シートに基づいて見本シート作成に関する指示情報が取得され、当該指示情報に従って見本シートのプリントが行われる（ステップＳ６）。見本シートが撮影業者に納品され、撮影業者により見本シートがパネルに貼付された見本パネルが作成され、当該見本パネルとともに、注文者情報及び注文情報の記入領域が設けられた注文票が学校に納品される（ステップＳ７）。
【００５２】
学校では、納品された見本パネルが掲示されるとともに、注文票が各生徒に配布される（ステップＳ８）。生徒は、見本パネルにより所望の撮影画像を選択し、注文票に生徒の氏名、生徒番号等を記入し、注文する撮影画像の見本コマ番号、プリント枚数を記入して学校に提出する。
【００５３】
撮影業者では、学校を介して注文票の回収が行われ（ステップＳ９）、プリントラボに提出される。プリントラボでは注文票に基づくオーダエントリが行われ、注文者情報及び注文情報が入力される（ステップＳ１０）。次いで、注文に応じたプリントが行われ（ステップＳ１１）、プリントされたプリント写真はオペレータにより仕分けが行われた後、納品袋に梱包され、封緘される（ステップＳ１２）。プリント写真が収容された納品袋は、撮影業者を介して学校に納品され（ステップＳ１３）、学校において注文を行った各生徒に納品袋が配布される（ステップＳ１４）。
【００５４】
次に、図５〜図１１を参照して、本発明に係るプリント生産システム１００の動作について説明する。
図５は、上述した撮影画像の取得工程（ステップＳ３）からインデックスプリントの工程（ステップＳ４）までにおいてプリント生産システム１００により実行されるインデックスプリント処理を説明するフローチャートである。
【００５５】
図５に示すインデックスプリント処理では、まず画像入力ＳＴ１０においてフィルム又はメモリカード等の記録メディアからプリント対象の撮影画像のデータ読取が行われる。読み取られたデータはラボサーバ２０に送信され、ＤＢ２０ａに記憶される（ステップＡ１）。また、読み取られた撮影画像のデータには、その読取順に連番でインデックスコマ番号が付与され、ＤＢ２０ａのコマ番号管理テーブル２１において撮影画像に付与されたインデックスコマ番号の情報がその撮影画像に対応付けて記憶される（ステップＡ２）。
【００５６】
次いで、各撮影画像が読み取られた記録区分を示す記録区分コードが発行され、ＤＢ２０ａのコマ番号管理テーブル２１において各撮影画像の記録区分に応じた記録区分コードの情報がその撮影画像に対応付けて記憶される（ステップＡ３）。
【００５７】
次いで、画像編集ＳＴ４０においてＤＢ２０ａに記憶された各撮影画像のデータが取得され、各撮影画像のサムネイルが作成される。また、コマ番号管理テーブル２１に記憶された各撮影画像のインデックスコマ番号及び記録区分コードの情報が取得され、各撮影画像のサムネイルがそのインデックスコマ番号順に配置され、各撮影画像の記録区分が判別可能となるようにインデックスシートのプリント指示情報が生成される。画像合成コントローラ５０ｂでは、生成されたプリント指示情報に従ってインデックスシートのフォーマットに各撮影画像のサムネイルが合成され、インデックスシートのプリント用データが作成される。また、このとき指示書シートのプリント用データも同時に作成される（ステップＡ４）。
【００５８】
次いで、インデックスシート及び指示書シートのプリント用データは、プリントＳＴ６０に送信され、プリントＳＴ６０においてプリント用データに従って、図６に示すように一又は複数のインデックスシート及び指示書シートのプリント出力が行われる（ステップＡ６）。プリント出力が終了すると、本処理を終了する。なお、本実施形態では、指示書シートをインデックスシートと同様にプリント出力することとしたが、インデックスシートを撮影業者に納品する際に別途印刷用紙等にインクジェット等の汎用のプリンタでプリントされた指示書シートをインデックスシートに添付して納品することとしてもよい。
【００５９】
図７にプリント出力されたインデックスシートの一例を示し、図８にインデックスシートに添付される指示書シートの一例を示す。
図７に示すように、インデックスシートＤ１には、各撮影画像のサムネイル画像ｄ１１がそのインデックスコマ番号ｄ１２ａとともにプリントされる。また、サムネイル画像ｄ１１の下部には、その撮影画像が読み出されたフィルムの本数とそのフィルムにおけるフレーム番号からなるコードｄ１２ｂ（例えば、“１〈フィルム１本目を示す〉−１ａ〈フレーム番号を示す〉”等）がプリントされる。なお、コードｄ１２ｂとしては、記録メディアに記録された際に付与された画像ファイル名等、オペレータにとって分かり易いものを表示することとしてもよい。各サムネイル画像ｄ１１は、インデックスコマ番号の順に記録区分単位で連続して配列され、各記録区分の先頭にはその記録区分の識別情報として記録区分コードｄ１３が表示される。また、記録区分単位で配列された各撮影画像群の記録区分の境界を判別可能とするために、記録区分の境界毎にそのサムネイル群が改行されて配置される。なお、インデックスシートにおいて各撮影画像の記録区分が判別できるのであれば、例えば記録区分単位で配列されたサムネイル群の記録区分の境界位置で１コマ分の空白を設ける、境界ラインを引く等のような方法であってもよい。また、サムネイル毎にその撮影画像の記録区分を示す記録区分コードを表示することとしてもよい。
【００６０】
また、インデックスシートＤ１には、見本シートを作成するための撮影画像の編集指示情報を入力するための入力領域が設けられる。編集指示情報には、見本シートにおいて新たに撮影画像を追加することを指示する追加指示情報、見本シートにおいて表示する順番を入れ替えることを指示する入替指示情報、見本シートにおいて撮影画像の削除を指示する削除指示情報、撮影画像を分類するカテゴリの指示情報、分類されたカテゴリにおける表示順の指示情報、プリント注文可能なプリントサイズの指示情報等が含まれる。
【００６１】
図７に示すように、インデックスシートＤ１の上部には、どのインデックスコマ番号の撮影画像の後に、どの撮影画像を追加するかを入力する追加指示情報の入力領域ｄ１４、どのインデックスコマ番号とどのインデックスコマ番号の撮影画像の順番を入れ替えるかを入力する入替指示情報の入力領域ｄ１５、インデックスシート毎に撮影画像の順番を入れ替える際のその順番を指示する見本順の入力領域ｄ１６が設けられる。
【００６２】
また、撮影画像を削除する場合は、サムネイル画像上に削除を示す印を記入することによりその削除指示情報を入力することができる。例えば、見本シートを作成する際にインデックスコマ番号３の撮影画像を削除する場合は、インデックスコマ番号３のサムネイル画像上に「×」印を記入する。
【００６３】
また、各サムネイル画像の下部には、そのサムネイルで示される撮影画像を分類する見本シートのカテゴリ、プリント注文可能なプリントサイズ、そのカテゴリにおける撮影画像の表示順の指示情報を入力する入力領域ｄ１７が設けられている。見本シートのカテゴリとは、１オーダ分の撮影画像群をいくつかのまとまりで分類したときの分類項目をいい、例えば体育祭の撮影画像群をさらに１年生、２年生、３年生に該当する撮影画像群に分類する場合における、その１年生、２年生、３年生の分類をいう。
【００６４】
カテゴリは、図８に示す指示書シートＤ２において撮影業者が自由に設定できるものである。
図８に示すように、指示書シートＤ２には、カテゴリの設定情報を入力するための入力領域ｄ２１〜ｄ２６と、プリントサイズのサイズコードの設定情報を入力するため入力領域ｄ２７、ｄ２８が設けられている。
【００６５】
カテゴリの設定情報の入力領域としては、カテゴリコードｄ２１、そのカテゴリのイベント名ｄ２２、タイトルｄ２３、撮影場所ｄ２４、撮影日時ｄ２５、見本シートの見本タイプｄ２６の各入力領域が設けられる。例えば、体育祭の撮影画像を１年生、２年生、３年生、集合写真の４つに分類する場合は、１年生のカテゴリはカテゴリコード「１」、イベント名「○○中学体育祭」、タイトル「１年生」、見本タイプ「Ａ３−１６」と、各入力領域ｄ２１〜ｄ２６に記入することにより、見本シートの各カテゴリの設定を行うことができる。なお、見本タイプにはプリントタイプを示すコードが入力され、見本タイプのコードは例えば〈見本シートのシートサイズ〉−〈１枚のシートにおける表示枚数〉で示される。つまり、コード「Ａ３−１６」は、Ａ３サイズの見本シート１枚に１６枚の撮影画像を表示するタイプであることを示す。
【００６６】
また、サイズコードの設定情報の入力領域としては、サイズコードの入力領域ｄ２７、そのサイズコードに該当するプリントサイズの入力領域ｄ２８が設けられる。例えば、サイズコード「０」に対してプリントサイズ「Ｌ」を各入力領域ｄ２７、ｄ２８に記入することにより、プリントサイズＬ版のサイズコードは「０」であることを設定することができる。
【００６７】
撮影業者は、このように指示書シートＤ２においてカテゴリとプリントサイズのサイズコードの設定を行い、インデックスシートＤ１で表示された各撮影画像を各カテゴリに分類する。インデックスシートＤ１の各撮影画像の下部には、カテゴリコード（１桁）、サイズコード（１桁）、そのカテゴリにおける表示順（２桁）の合計４桁のマスからなる入力領域ｄ１７が設けられているので、撮影業者は、例えばインデックスコマ番号１の撮影画像をカテゴリ３に分類し、カテゴリ３における表示順を１番、販売するプリントサイズをＬ版に設定する場合には、第１の入力領域ｄ１７の最初のマスにカテゴリコード「３」、次のマスにＬ版を示すサイズコード「０」、残りの２マスに表示順「０１」を記入する。また、入力領域ｄ１７は、第１及び第２と複数設けられ、Ｌ版に加えてさらに２Ｌ版のプリントサイズを設定する場合には、第２の入力領域ｄ１７において同様にカテゴリコード「３」、２Ｌ版を示すサイズコード「Ａ」、表示順「０１」を記入する。
【００６８】
なお、表示順について特に指定が無い場合は、指定されたカテゴリ内においてインデックスコマ番号の順に従ってプリント生産システム１００において自動的に設定されることとする。また、見本シートにおける表示順を撮影画像単位に入れ替えるのではなく、インデックスシート単位でそのインデックスシートに表示されている撮影画像の入れ替える場合は、見本順の入力領域ｄ１６にその見本シートにおける表示順を入力することにより、その入力された表示順で各インデックスシートの撮影画像群をインデックスシート単位で入れ替えることができる。
【００６９】
撮影業者により、インデックスシートＤ１において見本シート作成に関する編集指示情報が記入され、指示書シートＤ２において見本シート作成に関する設定情報が記入されると、その記入済みのインデックスシートＤ１及び指示書シートＤ２がプリントラボに提出される。
【００７０】
次に、図４の見本パネルプリントの工程（ステップＳ６）において、プリント生産システム１００により実行される見本プリント処理について、図９を参照して説明する。
図９に示す見本プリント処理では、まずオーダエントリＳＴ３０において、撮影業者から提出されたインデックスシート及び指示書シートの原稿読取が行われる。次いで、オーダエントリＳＴ１０において、読み取られたインデックスシート及び指示書シートの画像データがＯＣＲ機能によりデータ解析される。このデータ解析により、指示書シートからはカテゴリに関する設定情報、プリントサイズのサイズコードの設定情報等が取得され、インデックスシートからは、各撮影画像に対して指定されたカテゴリのコード情報、プリントサイズのコード情報、そのカテゴリにおける表示順の指示情報や、インデックスシート単位での見本順の指示情報、撮影画像単位での追加、削除、入替等の編集指示情報が取得される（ステップＢ１）。
【００７１】
次いで、取得されたカテゴリコード、タイトル、見本シートの見本タイプ等の各カテゴリ等の設定情報がＤＢ２０ａの見本シートテーブル２２に記憶されてカテゴリの設定が行われるとともに、取得された見本シート作成に関する編集指示情報に従って、見本シートテーブル２２において、そのカテゴリの先頭に表示される撮影画像の見本コマ番号、そのカテゴリに属する撮影画像の記録区分コード、その記録区分毎の見本順、インデックスコマ番号の情報が記憶される（ステップＢ２）。
【００７２】
また、取得された設定情報、編集指示情報等は画像編集ＳＴ４０に送信され、画像編集ＳＴ４０では、これら設定情報及び編集指示情報に基づき、インデックスコマ番号を用いて各撮影画像のデータ編集が行われ、各撮影画像にプリント注文用の見本コマ番号が新たに付与される（ステップＢ３）。まず、インデックスシート上で記入されたカテゴリコードに基づいて各撮影画像がカテゴリ毎に分類される。次いで、各カテゴリにおいてそのカテゴリに属する撮影画像の表示順が決定される。表示順の決定は、インデックスシートにおいて各撮影画像に対して表示順が記入されていればその表示順に従って撮影画像の表示順が決定され、撮影画像の追加、削除、入替等の編集が指示されていればその編集指示情報に基づいて撮影画像の表示順が編集される。さらに、インデックスシート単位での入れ替えが指示され、そのインデックスシート単位での見本順が指定されている場合は、そのインデックスシートに表示された撮影画像群単位で表示順が編集される。なお、表示順が特に記入されていない場合はそのカテゴリ内でインデックスコマ番号の順に撮影画像の表示順が決定される。
【００７３】
表示順が決定されると、撮影画像のカテゴリコード、プリントサイズコード及び表示順を示す数字からなる番号がその撮影画像の見本コマ番号として新たに付与される。また、複数のプリントサイズが設定されている場合は、そのプリントサイズ毎に見本コマ番号が付与される。例えば、図７に示したインデックスシートＤ１では、インデックスコマ番号１の撮影画像に対して、第１の入力領域ｄ１７には、カテゴリコード３、プリントサイズコード０、表示順０１と記入され、第２の入力領域ｄ１７には、カテゴリコード３、プリントサイズコードＡ、表示順０１と記入されているので、インデックスコマ番号１の撮影画像には、プリントサイズＬ版としては見本コマ番号「３００１」が付与され、プリントサイズ２Ｌ版としては見本コマ番号「３Ａ０１」が付与される。
【００７４】
新たに撮影画像に付与された見本コマ番号の情報は、ＤＢ２０ａのコマ番号テーブル２１においてその撮影画像に対応付けて記憶される。このとき、削除指示された撮影画像に対しては削除を示す情報が記憶される（ステップＢ４）。
【００７５】
次いで、カテゴリ毎に見本シートをプリントし、各カテゴリの見本シートで見本コマ番号順に撮影画像をプリントするようプリント指示情報が生成されると、画像合成コントローラ５０ｂではラボサーバ２０を介して見本コマ番号順にＤＢ２０から撮影画像が読み出され、読み出された撮影画像が見本シートのフォーマットに合成され、カテゴリ毎の見本シートのプリント用データが作成される（ステップＢ５）。なお、見本シートのフォーマットは、その撮影画像のカテゴリに対して指定された見本タイプに応じたフォーマットであるとする。また、合成時には、そのカテゴリで指定されたプリントサイズとなるように撮影画像の拡大、縮小の画像処理が行われる。
【００７６】
作成された見本シートのプリント用データはプリントＳＴ６０に送信され、プリントＳＴ６０では当該プリント用データに従って、図１０に示すような各カテゴリの見本シートのプリント出力が行われる（ステップＢ６）。
【００７７】
図１１に、見本シートの一例を示す。
図１１に示すように、見本シートＤ３はカテゴリ「３」の見本シートであり、上部にはカテゴリ３のイベント名ｄ３１、タイトル名ｄ３２が表示される。そして、指定された見本タイプのフォーマットに従って各撮影画像ｄ３３がその見本コマ番号順に配置される。また、撮影画像ｄ３３の下部にはその見本コマ番号が表示されるが、複数のプリントサイズが設定されている場合は、各プリントサイズに応じて付与された見本コマ番号、例えばＬ版の見本コマ番号ｄ３４と、２Ｌ版の見本コマ番号ｄ３５とが並列表示される。
【００７８】
このように、「１年生」、「２年生」、「３年生」等のようなカテゴリ別に撮影画像が分類されて、各撮影画像の表示順が整列された見本シートがプリント出力され、撮影業者に提出される。撮影業者では、この見本シートをパネルに添付した見本パネルが作成され、学校において掲示される。各撮影画像のプリント注文は見本シート上に表示された見本コマ番号により受け付けられ、注文プリント時には各注文者により注文された見本コマ番号に対応する撮影画像がＤＢ２０から読み出されてその見本コマ番号により指定されたプリントサイズでプリント出力される。
【００７９】
以上のように、本実施形態によれば、インデックスシートにおいて撮影画像を一覧表示する際には、各撮影画像を記録区分に関わらず連続で配置したインデックスシートがプリント出力されるので、インデックスシートのプリント枚数を抑えることができ、コストを削減することができる。また、連続でプリントされた各撮影画像の記録区分が判別可能なインデックスシートがプリント出力されるので、撮影業者等は、インデックスシートにおいて記録区分に関わらず連続でプリントされた各撮影画像の記録区分を容易に把握することができる。従って、効率良くプリント注文及びプリント生産を行うことができる。
【００８０】
また、見本シートにおける各撮影画像の編集指示情報の入力領域を設けたインデックスシートがプリント出力されるので、インデックスシートにより容易に編集指示することができる。また、インデックスシートに記入された編集指示情報に基づいて各撮影画像の見本シートにおける表示順が決定され、その表示順に見本コマ番号が新たに付与されるので、見本シート上に表示する各撮影画像の見本コマ番号をその表示順に連番で付与することができる。従って、プリント注文しやすい見本シートを提供することができ、効率良くプリント注文及びプリント生産を行うことができる。
【００８１】
また、各撮影画像のカテゴリの指示情報を入力する入力領域を設けたインデックスシートがプリント出力され、インデックスシートに記入されたカテゴリの指示情報に基づいて各撮影画像がカテゴリ毎に分類されるので、インデックスシートにより容易にカテゴリを指定することができる。また、インデックスシートに記入されたカテゴリの指示情報に基づいてカテゴリ毎の見本シートがプリント出力されるので、プリント注文しやすい見本シートを提供することができる。
【００８２】
また、カテゴリ毎に見本シートをプリントすることができるので、例えば体育祭の行事等、ある１つの行事単位でプリント注文を受けるのではなく、体育祭と文化祭等、複数行事の注文をまとめて受けて各行事単位で見本シートを作成するといったことも可能となる。
【００８３】
また、表示順の指示は、撮影画像単位で、或いはインデックスシート単位で指示することができ、例えば大まかに撮影画像の表示順を入れ替えたい場合はインデックスシート単位で見本順を指定し、細かく撮影画像の表示順を入れ替えたい場合は撮影画像単位で表示順を指定するといったように、状況に応じて最適な指示方法を選択することができる。
【００８４】
また、インデックスシートには、見本シートにおける各撮影画像の削除、追加、入替等の編集指示情報の入力領域が設けられるので、別途撮影業者自らが指示書を作成するような作業を省略することができ、作業効率が良い。さらに、各撮影画像に対してプリントサイズ毎に見本コマ番号が付与されるので、プリント注文時に見本コマ番号を指定するだけで、プリント対象の撮影画像及びそのプリントサイズを指定することができる。
【００８５】
なお、本実施形態における記述内容は、本発明を適用したプリント生産システム１００の好適な一例であり、これに限定されるものではなく、本実施形態におけるプリント生産システム１００の細部構成及び細部動作は、本発明の趣旨を逸脱することのない範囲で適宜変更可能である。
【図面の簡単な説明】
【００８６】
【図１】本実施の形態におけるプリント生産システム１００のシステム構成を示す図である。
【図２】コマ番号管理テーブル２１のデータ構成例を示す図である。
【図３】見本シートテーブル２２のデータ構成例を示す図である。
【図４】撮影からプリント写真が納品されるまでの全体的な流れを示す図である。
【図５】プリント生産システム１００により実行されるインデックスプリント処理を説明するフローチャートである。
【図６】インデックスプリント処理においてプリント出力されたインデックスシート及び指示書シートを示す図である。
【図７】インデックスシートの一例を示す図である。
【図８】指示書シートの一例を示す図である。
【図９】プリント生産システム１００により実行される見本プリント処理を説明するフローチャートである。
【図１０】見本プリント処理においてプリント出力された各カテゴリの見本シートを示す図である。
【図１１】見本シートの一例を示す図である。
【図１２】従来のインデックスシートを示す図である。
【符号の説明】
【００８７】
１００    プリント生産システム
１０    オーダエントリＳＴ
１０ａ    受付端末
２０    ラボサーバ
２０ａ    ＤＢ
３０    画像入力ＳＴ
３０ａ    画像入力端末
４０    画像編集ＳＴ
４０ａ    画像編集端末
５０ａ    プリントコントローラ
５０ｂ    画像合成コントローラ
６０    プリントＳＴ
６０ａ〜６０ｃ    プリンタ
【図１】
2005227576.tif 000003
【図２】
2005227576.tif 000004
【図３】
2005227576.tif 000005
【図４】
2005227576.tif 000006
【図５】
2005227576.tif 000007
【図６】
2005227576.tif 000008
【図７】
2005227576.tif 000009
【図８】
2005227576.tif 000010
【図９】
2005227576.tif 000011
【図１０】
2005227576.tif 000012
【図１１】
2005227576.tif 000013
【図１２】
2005227576.tif 000014